(57)【要約】      （修正有）【課題】状態変化する筐体とシート支持部の開口を開閉するカバーとを有する小型の装置を提供する。【解決手段】複合機１０は、スキャナ部１２の筐体１６と、原稿カバー１７と、バイパストレイ７０と、バイパストレイ７０のシート挿入口を覆うトレイカバー８１と、原稿カバー１７が第１回動位置から第２回動位置へ回動される動きに連動させて、当接部材９１の当接部９８を移動させてトレイカバー８１を第１状態から第２状態へ移動させる連動機構９０と、を具備する。【選択図】図１０
2018167993.tif 000002
【特許請求の範囲】
【請求項１】
搬送経路に沿ってシートを搬送する搬送部と、
上記搬送経路を搬送されるシートに画像を記録する記録部と、
原稿載置面を有し、当該原稿載置面に載置された原稿の画像を読み取る画像読取部と、
上記原稿載置面を被覆可能であって、第１位置及び当該第１位置より回動先端側が上記原稿載置面から遠い第２位置に回動可能な原稿カバーと、
上記原稿カバーの回動基端側において、上方へ開口しており、上記搬送経路へ連通するシート挿入口と、
上記シート挿入口を塞ぐ第３位置、及び当該第３位置より回動先端側が上記シート挿入口から遠い第４位置に回動可能な挿入口カバーと、
上記挿入口カバーと接離する方向へ移動可能であり、上記第３位置の上記挿入口カバーと当接しながら移動することにより上記第４位置側へ回動させる当接部を有しており、上記原稿カバーが上記第１位置から上記第２位置側に回動する動きに連動させて、当該当接部を上記挿入口カバーに当接する向きへ移動させる連動機構と、を具備する画像記録装置。
【請求項２】
上記シート挿入口は、上下方向と直交する前後方向において当該画像記録装置の後方に設けられており、
上記搬送部は、シートを上記前後方向の前方へ向かって搬送するものである請求項１に記載の画像記録装置。
【請求項３】
上記当接部は、上記挿入口カバーの回動軸線と平行な方向において、上記シート挿入口に対して外側の一方側にのみ設けられている請求項１または２に記載の画像記録装置。
【請求項４】
上記連動機構は、上記原稿カバーの上記第１位置から上記第２位置側への回動に連動して回動する回動部材を有するものであり、
上記当接部は、上記回動部材に設けられている請求項１または２に記載の画像記録装置。
【請求項５】
上記回動部材は、上記第１位置から上記第２位置側へ回動する上記原稿カバーに当接する被当接部を有する請求項４に記載の画像記録装置。
【請求項６】
上記連動機構は、上記当接部が上記挿入口カバーから離れる向きへ上記回動部材を付勢するバネを備える請求項４または５に記載の画像記録装置。
【請求項７】
上記シート挿入口は、斜め下方に延びるバイパス経路を介して上記搬送経路と連通している請求項１乃至６のいずれかに記載の画像記録装置。
【請求項８】
上記シート挿入口から挿入されたシートを上記搬送経路へ給送する給送ローラを更に備える請求項１乃至７のいずれかに記載の画像記録装置。
【発明の詳細な説明】
【技術分野】
【０００１】
本発明は、搬送経路に沿ってシートを搬送するシート搬送装置、及びそれを備えた画像記録装置に関する。
【背景技術】
【０００２】
装置筐体の内部に搬送経路が形成されており、搬送経路に案内されて搬送されるシートに画像を記録する画像記録装置が知られている。画像記録装置には、複数枚のシートを支持する給紙カセットを有するものがある。また、給紙カセットとは別に、シートを搬送経路へ案内するための手差しトレイを有する画像記録装置がある（特許文献１，２）。
【０００３】
画像記録装置のメンテナンスや紙詰まりの解消のために、画像記録装置の筐体の一部が開閉される構成が採用されたり、また、画像記録装置がスキャナ機能を有する複合機として実現されている態様では、フラットベッドスキャナの原稿カバーが開閉される構成が採用され得る（特許文献１）。
【０００４】
また、画像記録装置にシートが差し込まれる開口である給紙口には、異物や塵埃の進入を防止するために、開閉可能なカバーなどが設けられる（特許文献３）。
【先行技術文献】
【特許文献】
【０００５】
【特許文献１】特開２０１２−１３２９号公報
【特許文献２】特開２００４−２２４４６３号公報
【特許文献３】特開２０１１−２１９２０１号公報
【発明の概要】
【発明が解決しようとする課題】
【０００６】
画像記録装置において開閉される筐体や原稿カバーなどが、給紙口などの開口を開閉するカバーなどに衝突することがないように、筐体や原稿カバーの回動範囲を避けてカバーを配置すると、画像記録装置が大型化するという問題がある。
【０００７】
本発明は、上記問題に鑑みてなされたものであり、その目的は、状態変化する筐体とシート支持部の開口を開閉するカバーとを有する小型の装置を提供することにある。
【課題を解決するための手段】
【０００８】
(1)  本発明に係るシート搬送装置は、シートの搬送経路を有する第１筐体と、上記搬送経路に沿ってシートを搬送する搬送部と、上記第１筐体の上方に回動可能に設けられて、第１回動位置及び当該第１回動位置より上記第１筐体から遠い第２回動位置に回動可能な第２筐体と、上記第２筐体の回動基端側であって、上記第１筐体に設けられて上方へ開口するシート挿入口を有しており、上記搬送経路へ給送されるシートを支持するシート支持部と、上記シート支持部に設けられており、上記第１筐体側を回動先端側として上記第２筐体の回動軸と平行な回動軸線周りに回動して、上記シート挿入口を塞ぐ第１状態、及び上記シート挿入口を開放する第２状態に変化するカバーと、上記カバーと接離する方向へ移動可能であり、上記第１状態の上記カバーと当接しながら移動することにより上記第２状態へ変化させる当接部を有しており、上記第２筐体が上記第１回動位置から上記第２回動位置に変化する動きに連動させて、当該当接部を上記カバーに当接する向きへ移動させ、かつ上記第２筐体が上記第２回動位置から上記第１回動位置へ変化する動きに連動させて、当該当接部を上記カバーから離れる向きへ移動させる連動機構と、を具備する。
【０００９】
第２筐体が第１回動位置から第２回動位置へ変化すると、連動機構の当接部がカバーに当接する向きへ移動する。カバーは、当接部が当接することによって、第１状態から第２状態へ回動する。これにより、第２筐体が回動する範囲とカバーが回動する範囲とが重複するレイアウトが採用されても、第２回動位置へ変化する第２筐体とカバーとの接触が防止できる。第２筐体が第２回動位置から第１回動位置へ変化すると、連動機構の当接部がカバーから離れる向きへ移動する。これにより、第２状態のカバーは、第１状態へ変化可能となる。
【００１０】
(2)  上記シート支持部は、上下方向と直交する前後方向において上記第１筐体の後方に配置されており、上記搬送部は、上記シート支持部に支持されているシートを上記前後方向の前方へ向かって搬送するものであってもよい。
【００１１】
シート支持部が第２筐体の後方に配置されており、第２筐体の回動軸もシート支持部側、つまり第２筐体の後方であるので、第２筐体を第２回動位置にすると、第２筐体の前方から第１筐体へアクセスすることができる。また、第２筐体に連動して回動するカバーが、前方から第２筐体を操作するユーザ側へ回動することがない。また、シート支持部からシートが第１筐体の前方へ向かって搬送されるので、ユーザが、搬送後のシートに第１筐体の前方からアクセスすることができる。
【００１２】
(3)  上記第１筐体に、プラテンを有するフラットベッドスキャナが設けられており、上記第２筐体は、上記プラテンを覆う原稿カバーであってもよい。
【００１３】
これにより、使用頻度が比較的高いフラットベッドスキャナを備えた構成において、原稿カバーの回動範囲にカバーを配置することができる。
【００１４】
(4)  上記当接部は、上記シート支持部から上下方向に沿って出没するものであって、当該上下方向と直交しかつ上記第２筐体の回動軸と平行な左右方向の一方にのみ設けられており、上記原稿カバーは、原稿を上記プラテンへ搬送する自動原稿搬送機構を有しており、上記自動原稿搬送機構は、上記上下方向及び上記左右方向と直交する前後方向に沿った回動軸線周りに回動可能であって、上記原稿カバーの上面に倒伏した倒伏姿勢と、上記原稿カバーの上面から斜め上方へ突出した突出姿勢に変化する原稿トレイを有しており、上記原稿トレイは、上記突出姿勢において、上記当接部が設けられていない左右方向の他方へ向かって上記原稿カバーの上面から突出するものであってもよい。
【００１５】
これにより、当接部の移動範囲と、原稿トレイの移動範囲とが重複することがない。
【００１６】
(5)  上記シート支持部は、シートを支持する支持板を有しており、上記第１状態において当該支持板が上記第１筐体の側面に近づいて起立し、上記第２状態において当該支持板が上記第１筐体の側面から離れる向きへ上記第１状態より倒伏して傾斜するものであり、上記カバーは、上記支持板に連結されたものであってもよい。
【００１７】
これにより、第１状態のシート支持部を効率的に小型化することができる。
【００１８】
(6)  上記第１状態の上記カバーの回動先端部は、上記第２筐体の上面より下方に配置されていてもよい。
【００１９】
これにより、シート搬送装置の薄型化が実現される。
【００２０】
(7)  上記連動機構として、上記第２筐体の回動軸と平行な回動軸周りに回動可能であって、上記第１回動位置から上記第２回動位置に変化する第２筐体に当接して回動する回動部材と、上記当接部を有する当接部材と、上記回動部材の回動を上記当接部材のスライド移動へ伝達するラックピニオン機構と、を有するものが挙げられる。
【００２１】
(8)  上記連動機構として、上記第２筐体の回動軸と平行な回動軸周りに回動可能であって、上記第１回動位置から上記第２回動位置に変化する第２筐体に当接して回動する回動部材を有するものであり、上記当接部は、上記回動部材の一部であるものが挙げられる。
【００２２】
(9)  本発明は、上記シート搬送装置と、上記搬送経路においてシートに画像を記録する記録部と、を具備する画像記録装置として捉えられてもよい。
【発明の効果】
【００２３】
本発明によれば、状態変化する筐体とシート挿入口のカバーとを有する小型の装置が実現される。
【図面の簡単な説明】
【００２４】
【図１】図１は、原稿カバー１７が第１回動位置の複合機１０を示す斜視図である。
【図２】図２は、原稿カバー１７が第２回動位置の複合機１０を示す斜視図である。
【図３】図３は、バイパストレイ７０が使用される状態の複合機１０を示す斜視図である。
【図４】図４は、原稿カバー１７が第１回動位置の複合機１０を示す平面図である。
【図５】図５は、図４のＶ−Ｖ断面を示す断面図である。
【図６】図６は、プリンタ部１１の内部構造を示す断面図である。
【図７】図７は、連動機構９０を示す斜視図である。
【図８】図８は、原稿トレイ３７が突出状態であり、かつ原稿カバー１７が第２回動位置の複合機１０を示す斜視図である。
【図９】図９は、原稿カバー１７が第１回動位置の連動機構９０を示す側面図である。
【図１０】図１０は、原稿カバー１７が第２回動位置の連動機構９０を示す側面図である。
【図１１】図１１は、原稿カバー１７が第１回動位置の複合機１０であって、変形例に係る回動部材１００を示す側面図である。
【図１２】図１２は、原稿カバー１７が第２回動位置の複合機１０であって、変形例に係る回動部材１００を示す側面図である。
【発明を実施するための形態】
【００２５】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０（本発明の画像記録装置の一例）が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２６】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００２７】
プリンタ部１１は、前面に開口１３が形成された筐体１４を有している。また、各種サイズの記録用紙を載置可能な給送トレイ２０及び排出トレイ２１が、開口１３から前後方向８に挿抜可能である。なお、図１，２，３，５，７においては、給送トレイ２０及び排出トレイ２１が筐体１４から取り外された状態が示されている。
【００２８】
図６に示されるように、プリンタ部１１は、給送トレイ２０から記録用紙を給送する給送部１５、記録用紙に画像を記録する記録部２４、第１搬送ローラ対５４、及び第２搬送ローラ対５５などを備えている。記録部２４以外の給送部１５、第１搬送ローラ対５４、及び第２搬送ローラ対５５、給送トレイ２０、バイパストレイ７０、スキャナ部１２によってシート搬送装置が構成されている。
【００２９】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、スキャナ部１２を上方として、プリンタ部１１の筐体１４及びスキャナ部１２の筐体１６によって、複合機１０の概ね直方体形状の外形が形成されている。筐体１６は、筐体１４の後面側において左右方向９に沿った回動軸線周りに回動可能に筐体１４と連結されている。筐体１４及び筐体１６が第１筐体に相当する。
【００３０】
図５に示されるように、スキャナ部１２は、フラットベッドスキャナである。筐体１６の内部には、原稿の画像を光学的に読み取り可能なイメージセンサ３４が設けられている。筐体１６の上面には原稿が載置されるプラテンガラス３０が設けられている。プラテンガラス３０は、原稿カバー１７によって覆われている。図１，３，４，５，７，９では、プラテンガラス３０が原稿カバー１７によって覆われた状態が示されており、図２，８，１０では、原稿カバー１７が開かれてプラテンガラス３０が露出された状態が示されている。
【００３１】
原稿カバー１７は、筐体１６の後面側に連結されており、左右方向９に沿った回動軸周りに回動可能である。図１に示されるように、原稿カバー１７は、筐体１６の上面に当接することによって、プラテンガラス３０を覆った状態に維持される（第１回動位置）。図１に示される状態から、原稿カバー１７の前面側が上方へ持ち上げられることによって、図２に示されるように、原稿カバー１７が回動されてプラテンガラス３０が露出される（第２回動位置）。つまり、第１回動位置において、原稿カバー１７が筐体１６に最も近づき、第２回動位置において、原稿カバー１７が筐体１６から最も遠ざかる。原稿カバー１７が第２筐体に相当する。
【００３２】
原稿カバー１７には、画像読み取りを行う複数枚の原稿を１枚ずつピックアップして搬送する自動原稿搬送装置（ＡＤＦ）３６が設けられている。ＡＤＦ３６の内部構造は公知の構成が採用されるので詳細な説明が省略されるが、原稿トレイ３７に載置されたシート状の原稿をピックアップローラや給送ローラによってプラテンガラス３０上に搬送し、排出トレイ３８へ排出するものである。
【００３３】
原稿トレイ３７は、原稿カバー１７の上面側に回動可能に設けられている。原稿カバー１７の回動軸線は、前後方向８に沿っている。図１に示されるように、ＡＤＦ３６が使用されないときは、原稿トレイ３７は、原稿カバー１７の上面に倒伏した倒伏姿勢にされている。図８に示されるように、ＡＤＦ３６が使用されるときには、原稿トレイ３７が原稿カバー１７の上面から斜め上方へ突出した突出姿勢に回動される。突出姿勢の原稿トレイ３７は、複合機１０の前面から視て、右上方へ突出する。原稿トレイ３７が突出姿勢にされると、原稿トレイ３７の下側に排出トレイ３８が現れる。なお、図８においては、原稿カバー１７が開かれた状態が示されているが、ＡＤＦ３６が用いられるときには、原稿カバー１７は、図１に示されるように、閉じられた状態、すなわち第１回動位置にされる。
【００３４】
［プリンタ部１１］
以下、プリンタ部１１の詳細な構造が説明される。
【００３５】
［給送トレイ２０］
図６に示されるように、給送トレイ２０は、前後方向８及び左右方向９の長さが上下方向７の長さよりも長い外形であって、上方が開放された箱形状のものである。給送トレイ２０の上方には、排出トレイ２１が載置されている。給送トレイ２０には、例えば日本工業規格によるＡ４サイズから写真記録に用いられるＬ版などの大小様々なサイズの記録用紙が載置可能である。給送トレイ２０は、筐体１４の開口１３に通ずる内部空間に収容されている。給送トレイ２０は、開口１３を通じて筐体１４に対して前後方向８に沿って進退可能である。
【００３６】
［給送部１５］
図６に示されるように、給送部１５は、給送ローラ２５、給送アーム２６、駆動伝達機構２７及び分離パッド２３を備えている。給送部１５は、給送トレイ２０の上方であって記録部２４の下方に設けられている。給送ローラ２５は、給送アーム２６の先端部で軸支されている。給送アーム２６は、基端部に設けられた軸２８を中心として、矢印２９の方向に回動する。これにより、給送ローラ２５は、給送トレイ２０の底面に当接及び離間が可能である。給送ローラ２５は、給送トレイ２０に載置された記録用紙に当接可能である。給送トレイ２０の底面であって、給送ローラ２５と対向する位置には分離パッド２３が設けられている。分離パッド２３は、記録用紙に対して、給送トレイ２０の底面より大きな摩擦係数を有する部材である。
【００３７】
給送ローラ２５には、モータ（不図示）の駆動力が駆動伝達機構２７を通じて伝達される。駆動伝達機構２７は、軸２８に伝達された回転を無端ベルトにより給送ローラ２５の軸へ伝達する。給送ローラ２５が、給送トレイ２０の底面上に積載された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材３５と当接することにより、下側の記録用紙が一番上側の記録用紙に引き摺られることなく給送トレイ２０に保持される。最も下側の記録用紙は、分離パッド２３との間に生ずる摩擦力によって、直ぐ上の記録用紙が給送されるときに引き摺られることがない。
【００３８】
［搬送経路６５］
図６に示されるように、筐体１４の内部空間に設けられた搬送経路６５は、給送トレイ２０の後側から上方へＵターンするように湾曲して延び、さらにプリンタ部１１の後ろ側から前側へ曲がってほぼ真っ直ぐに延びて排出トレイ２１に至っている。搬送経路６５は、Ｕターンする湾曲路６５Ａと、真っ直ぐな直線路６５Ｂとに大別される。
【００３９】
湾曲路６５Ａは、記録用紙が通過可能な空間を隔てて対向する外側ガイド部材１８、内側ガイド部材１９、及びガイド部材３１によって形成されている。直線路６５Ｂは、記録用紙が通過可能な空間を隔てて対向する記録部２４及びプラテン４２、並びにガイド部材３２及びガイド部材３３によって形成されている。
【００４０】
給送トレイ２０の給送ローラ２５によって搬送経路６５に給送された記録用紙は、湾曲路６５Ａに案内されて下方から上方へ向かって搬送向きが反転され、直線路６５Ｂに案内されて搬送向きが反転することなく後方から前方へ向かって搬送される。
【００４１】
外側ガイド部材１８は、湾曲路６５Ａにおける外側の案内面を構成する部材である。内側ガイド部材１９は、湾曲路６５Ａにおける内側の案内面を構成する部材である。なお、各案内面は、１つの面で構成されていてもよいし、複数のリブの先端面の群として構成されていてもよい。
【００４２】
ガイド部材３１は、第１搬送ローラ対５４の直上流（後ろ側）において内側ガイド部材１９の上方に配置されている。外側ガイド部材１８及びガイド部材３１は、後述されるバイパス経路６６を区画する部材でもある。
【００４３】
［第１搬送ローラ対５４及び第２搬送ローラ対５５］
図６に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。第１搬送ローラ対５４及び第２搬送ローラ対５５は搬送部に相当する。
【００４４】
［記録部２４］
図６に示されるように、第１搬送ローラ対５４と第２搬送ローラ対５５との間において、記録部２４は、プラテン４２と対向して直線路６５Ｂの上側に設けられている。記録部２４は、キャリッジ４１と記録ヘッド３９とを備えている。キャリッジ４１は、プラテン４２の後側及び前側に設けられたガイドレール４３，４４によって支持されている。ガイドレール４４には、公知のベルト機構が設けられている。キャリッジ４１は、ベルト機構の無端ベルトと連結されており、無端ベルトの回動によってガイドレール４３，４４に沿って左右方向９に移動する。
【００４５】
記録ヘッド３９は、キャリッジ４１に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４１が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００４６】
［バイパス経路６６］
図６に示されるように、筐体１４の後面に開口６４が設けられており、開口６４から第１搬送ローラ対５４へ延びるバイパス経路６６が筐体１４の内部に形成されている。バイパス経路６６は、前後方向８の後方から前方へ斜め下方に向かって延びる経路である。バイパス経路６６の上側の案内面は、ガイド部材３１によって形成されており、下側の案内面は外側ガイド部材１８及びガイド部材３２によって形成されている。搬送経路６５の湾曲路６５Ａ及び直線路６５Ｂは、いずれもバイパス経路６６より下方に配置されている。
【００４７】
後述されるバイパストレイ７０に載置された記録用紙は、バイパス経路６６を通じて斜め下方へ案内されて搬送経路６５の直線路６５Ｂに進入し、第１搬送ローラ対５４により搬送されつつ記録部２４によって画像記録が行われて、排出トレイ２１へ排出される。このように、バイパストレイ７０に載置された記録用紙は、ほぼ直線形状の経路を搬送される。
【００４８】
［バイパストレイ７０］
図１及び図５に示されるように、複合機１０の後面側には、バイパストレイ７０が設けられている。バイパストレイ７０は、給送トレイ２０とは独立して記録用紙を支持するものである。バイパストレイ７０がシート支持部に相当する。
【００４９】
スキャナ部１２の筐体１６の後面側には、開口６４（図６参照）を覆うようにして固定部６８が設けられている。固定部６８は、バイパストレイ７０の搬送向き下流側の一部を構成している。固定部６８の後側には、支持板７３が回動可能に設けられている。固定部６８及び支持板７３によって、バイパストレイ７０が構成されている。
【００５０】
支持板７３は、下端側において固定部６８に回動可能に支持されている。図１に示されるように、バイパストレイ７０が使用されないときは、支持板７３は、筐体１４の後面に近づいて起立している（第１状態）。バイパストレイ７０が使用されるときは、支持板７３の上端側が後ろ向きへ倒れるようにして筐体１４の後面から離れる。これにより、支持板７３は第１状態より後ろ向きへ倒伏して傾斜する。
【００５１】
図３に示されるように、支持板７３の前面である支持面７４には、サイドガイド８０が設けられている。サイドガイド８０は、バイパストレイ７０の搬送向きに沿って延出されたガイド面を有しており、そのガイド面によって、支持面７４に支持された記録用紙の端縁を搬送向きへ案内する。一対のサイドガイド８０が左右方向９に沿って離間する距離は可変である。これにより、支持面７４に支持された様々なサイズの記録用紙の端縁をサイドガイド８０が案内することができる。
【００５２】
固定部６８には、支持面７４に対向して給送ローラ７６が設けられている。給送ローラ７６は、不図示のモータから駆動伝達されて回転する。各図には現れていないが、給送ローラ７６は、支持面７４に接離する向きへ回動可能なアームに支持されており、支持面７４に支持されたシートの枚数や厚みに応じて、給送ローラ７６が支持面７４に対して接離する向きへ移動する。給送ローラ７６が、バイパストレイ７０の支持面７４に支持された記録用紙のうち一番上側の記録用紙に当接された状態で回転することにより、当該記録用紙がバイパス経路６６へ給送される。
【００５３】
支持板７３の上端には、トレイカバー８１が設けられている。トレイカバー８１は、支持板７３に対して回動可能に設けられている。トレイカバー８１は、バイパストレイ７０の上端側のシート挿入口７５を封止可能な平板形状の部材である。トレイカバー８１の回動軸線は、原稿カバー１７の回動軸線と平行である。つまり、トレイカバー８１の回動軸線は、左右方向９に沿っている。
【００５４】
図１、図４及び図９に示されるように、トレイカバー８１は、起立状態の支持板７３においてバイパストレイ７０のシート挿入口７５を覆う位置に回動可能である（第１状態）。この状態において、トレイカバー８１の先端側は回動軸線から原稿カバー１７へ向かっており、かつ原稿カバー１７の上面より下方に位置している。なお、トレイカバー８１は、シート挿入口７５を完全に覆うものであっても、一部のみを覆うものであってもよい。トレイカバー８１がシート挿入口７５を完全に覆うと、第１状態のトレイカバー８１によってシート挿入口７５から塵埃や異物が侵入することが防止される。トレイカバー８１がシート挿入口７５の一部のみを覆うと、第１状態のトレイカバー８１によって、バイパストレイ７０が使用されないときに誤ってシートがシート挿入口７５に挿入されることが防止される。
【００５５】
図３に示されるように、トレイカバー８１は、倒伏状態の支持板７３においてバイパストレイ７０のシート挿入口７５を開放する位置（第２状態）に回動可能である。この状態において、トレイカバー８１は、支持板７３の支持面７４を延長するように斜め上方へ延びている。トレイカバー８１が第１状態と第２状態とを回動する範囲は、原稿カバー１７が第１回動位置と第２回動位置とを回動する範囲に対して一部が重複している。原稿カバー１７が第１回動位置から第２回動位置へ回動される過程において、第１状態にあるトレイカバー８１に原稿カバー１７の後面２２が当接する。
【００５６】
トレイカバー８１の回動先端側には、延長支持部８２が回動可能に設けられている。図３に示されるように、延長支持部８２がトレイカバー８１の回動先端から突出する姿勢に回動されることによって、延長支持部８２は、支持面７４から突出した記録用紙の上端側を支持可能である。なお、トレイカバー８１は、ユーザの操作によって任意に回動可能である。したがって、支持板７３が起立状態又は倒伏状態のいずれであるかに拘わらず、第１状態又は第２状態に回動可能である。
【００５７】
［連動機構９０］
バイパストレイ７０には、連動機構９０が設けられている。連動機構９０は、原稿カバー１７が第１回動位置から第２回動位置に変化する動きに連動させて、当接部材９１をトレイカバー８１に当接する向きへ移動させ、かつ原稿カバー１７が第２回動位置から第１回動位置へ変化する動きに連動させて、当接部材９１をトレイカバー８１から離れる向きへ移動させるものである。
【００５８】
連動機構９０は、バイパストレイ７０の固定部６８において、左右方向９の左側に配置されている。換言すれば、固定部６８の左右方向９の右方には、連動機構９０或いは少なくとも当接部材９１が配置されておらず、図８に示されるように、突出状態の原稿トレイ３７と当接部材９１とが干渉することがない。なお、本実施形態では、固定部６８の左右方向９の右側にも、後述される回動部材９２と同様の回動部材９５が設けられているが、回動部材９５は、デザインとして左右のバランスを保つために設けられているものであり、連動機構９０として機能するものではない。
【００５９】
図７に示されるように、連動機構９０は、当接部材９１、回動部材９２、二段ギヤ９３、ピニオンギヤ９４を有する。
【００６０】
回動部材９２は、回動基端側から回動先端側へ向かって拡がる部分円盤形状である。比較的幅が狭い回動基端側が、左右方向９に沿って固定部６８から突出するように回動軸７１に回動可能に支持されている。回動軸７１は、トレイカバー８１の回動軸線より上下方向７の下方に配置されている。各図には現れていないが、回動軸７１にはネジリコイルバネが設けられており、回動部材９２を原稿カバー１７側へ向かって付勢している。したがって、回動部材９２に外力が付与されていないときは、回動部材９２は筐体１６へ近い位置に保持される。ネジリコイルバネの付勢力に抗して回動部材９２を後ろ向きへ回動させる外力が付与されると、回動部材９２は筐体１６から遠ざかる後ろ向きへ回動される。
【００６１】
回動部材９２の回動先端側であって、原稿カバー１７と対向する位置に被当接部９６が設けられている。被当接部９６は、原稿カバー１７の後面２２及び上面４０と当接可能に配置されている。回動部材９２の回動先端側には、回動基端側へ向かって突出するセグメントギヤ９７が設けられている。セグメントギヤ９７は、回動軸７１を回転中心とするギヤである。
【００６２】
固定部６８には、二段ギヤ９３及びピニオンギヤ９４が設けられている。二段ギヤ９３及びピニオンギヤ９４は、左右方向９に沿った各軸線を中心としてそれぞれが回転自在に支持されている。二段ギヤ９３は、セグメントギヤ９７と噛合するギヤと、ピニオンギヤ９４と噛合するギヤとが、同一軸線に並列されたものである。二段ギヤ９３によって、セグメントギヤ９７からピニオンギヤ９４へ駆動伝達がなされる。
【００６３】
固定部６８には、当接部材９１が設けられている。当接部材９１は、細長なロッド形状の部材である。当接部材９１は、固定部６８の上面であって、第２状態のトレイカバー８１によって覆われる位置から上下方向７に沿ってスライド可能に設けられている。当接部材９１がスライドすることによって、当接部材９１の上面である当接部９８が固定部６８の上面から出没する。当接部材９１の下側部分であってピニオンギヤ９４と対向する面にはラックギヤ９９が設けられている。ラックギヤ９９は、ピニオンギヤ９４と噛合してラックピニオン機構を構成している。ピニオンギヤ９４の回転がラックギヤ９９によって当接部材９１のスライド移動として伝達される。回動部材９２に外力が付与されていない状態において、当接部材９１の当接部９８は、固定部６８の上面に没入した状態である。
【００６４】
［原稿カバー１７とトレイカバー８１との連動］
図１及び図９に示されるように、スキャナ部１２において原稿カバー１７が閉じられた状態から、すなわち第１回動位置にある状態では、連動機構９０の回動部材９２は、ネジリコイルバネに付勢されて、被当接部９６が原稿カバー１７の後面２２に当接している。また、当接部材９１の当接部９８は、固定部６８の上面に没入した状態である。また、バイパストレイ７０は使用されていない状態、すなわち、支持板７３が起立した状態であり、トレイカバー８１がシート挿入口７５を覆っている。
【００６５】
図２及び図１０に示されるように、原稿カバー１７が開かれると、すなわち第２回動位置へ回動されると、原稿カバー１７の後面２２が後ろ向きへ移動し、後面２２に押されるようにして、回動部材９２の被当接部９６が後ろ向きへ移動する。これにより、ネジリコイルバネの付勢力に抗して、回動部材９２が後ろ向きへ回動する。この回動部材９２の回動が、セグメントギヤ９７、二段ギヤ９３、ピニオンギヤ９４及びラックギヤ９９を介して当接部材９１のスライド移動として伝達される。この伝達によって、当接部材９１が上向きへスライドされ、当接部９８が固定部６８の上面から突出する。なお、回動部材９２の被当接部９６が原稿カバー１７の後面２２の上端に到達した後は、被当接部９６は原稿カバー１７の上面４０に押されるようにして後ろ向きへ移動する。
【００６６】
固定部６８の上面から突出した当接部９８は、トレイカバー８１に当接して、シート挿入口７５を覆った状態（第１状態）のトレイカバー８１を、シート挿入口７５を開放する状態（第２状態）へ向かって回動させる。当接部材９１は、原稿カバー１７の後面２２が、トレイカバー８１の回動範囲に進入する前に、トレイカバー８１を原稿カバー１７の回動範囲より後ろ向き、すなわち第２状態へ向かって回動させる。これにより、原稿カバー１７を第２回動位置まで回動させる過程において、原稿カバー１７の後面２２はトレイカバー８１と当接しない。
【００６７】
一方、図２及び図１０に示されるように、第２回動位置にある原稿カバー１７が第１回動位置へ向かって回動されると、原稿カバー１７の上面４０及び後面２２が前方へ移動するに伴って、ネジリコイルバネに付勢されている回動部材９２は、被当接部９６を上面４０又は後面２２に当接させながら前向きへ回動する。この回動部材９２の回動が、セグメントギヤ９７、二段ギヤ９３、ピニオンギヤ９４及びラックギヤ９９を介して当接部材９１のスライド移動として伝達される。この伝達によって、当接部材９１が下向きへスライドされる。
【００６８】
当接部材９１の当接部９８が下向きへ移動すると、トレイカバー８１は自重によって第２状態から第１状態へ回動する。当接部材９１は、原稿カバー１７の後面２２が、トレイカバー８１の回動範囲から離れた後に、トレイカバー８１を原稿カバー１７の回動範囲より前向き、すなわち第１状態へ向かって回動させる。そして、当接部材９１の当接部９８が固定部６８の上面に没入すると、トレイカバー８１が第１状態となる。これにより、原稿カバー１７を第１回動位置まで回動させることによって、トレイカバー８１は、原稿カバー１７と当接することなく第１状態となる。
【００６９】
なお、後述される変形例に係る図１２に示されるように、プリンタ部１１のメンテナンスなどを目的として、筐体１６が筐体１４に対して回動されることによって、原稿カバー１７が第１回動位置の状態のまま、原稿カバー１７の後面２２が回動部材９２の被当接部９６に当接しても、前述と同様に、連動機構９０によって、第１状態のトレイカバー８１が第２状態へ向かって回動され、原稿カバー１７の後面２２とトレイカバー８１とが当接することがない。
【００７０】
［プリンタ部１１の動作］
以下、給送トレイ２０、バイパストレイ７０をそれぞれ用いたときのプリンタ部１１の動作が説明される。
【００７１】
バイパストレイ７０が用いられないときは、図１に示されるように、支持板７３が起立状態にされる。これにより、支持板７３の投影面積が小さくなるので、複合機１０の後面側のスペースを小さくすることができる。また、トレイカバー８１がバイパストレイ７０のシート挿入口７５を覆う第１状態にされる。なお、複合機１０の後面側に十分なスペースがあれば、バイパストレイ７０が用いられないときでも支持板７３が倒伏状態にされ、トレイカバー８１が第２状態にされたままであってもよい。
【００７２】
給送トレイ２０が用いられるときには、給送トレイ２０に所望のサイズの記録用紙がセットされる。具体的には、複数枚の記録用紙が積層された状態で、給送トレイ２０に支持される。記録用紙を支持する給送トレイ２０は、開口１３から筐体１４に挿入された状態にされる。この状態において、給送トレイ２０に載置された複数枚の記録用紙のうち最上位置の記録用紙に給送ローラ２５が当接する。プリンタ部１１は、ユーザの入力や印刷データなどに基づいて、給送トレイ２０から記録用紙を給送することを判定する。
【００７３】
印刷開始の指示を受け付けると、プリンタ部１１は不図示のモータを駆動して、給送ローラ２５、第１搬送ローラ対５４、及び第２搬送ローラ対５５を所定のタイミングで回転させる。給送ローラ２５の回転を受けて、給送トレイ２０から最上位置の記録用紙が搬送経路６５に給送される。搬送経路６５の湾曲路６５Ａに案内されて第１搬送ローラ対５４に記録用紙が到達する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５によって排出トレイ２１へ排出される。
【００７４】
バイパストレイ７０が用いられるときは、図３に示されるように、支持板７３が倒伏状態にされ、トレイカバー８１は、バイパストレイ７０のシート挿入口７５を開放する第２状態に回動される。
【００７５】
バイパストレイ７０には、所望のサイズの記録用紙がセットされる。具体的には、複数枚の記録用紙が積層された状態で、バイパストレイ７０の支持面７４に支持される。この状態において、バイパストレイ７０の給送ローラ７６が、支持面７４に支持された複数枚の記録用紙のうち最上位置の記録用紙に当接する。
【００７６】
印刷開始の指示を受け付けると、プリンタ部１１は不図示のモータを駆動して、給送ローラ７６、第１搬送ローラ対５４、及び第２搬送ローラ対５５を所定のタイミングで回転させる。給送ローラ７６の回転を受けて、バイパストレイ７０から最上位置の記録用紙がバイパス経路６６へ給送される。記録用紙はバイパス経路６６から搬送経路６５の直線路６５Ｂへ進入して第１搬送ローラ対５４に到達する。この間、バイパス経路６６及び直線路６５Ｂを形成する外側ガイド部材１８、ガイド部材３２及びガイド部材３１が記録用紙を第１搬送ローラ対５４に向けて案内する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５によって排出トレイ２１へ排出される。
【００７７】
［本実施形態の効果］
本実施形態によれば、原稿カバー１７が第１回動位置から第２回動位置へ回動されると、連動機構９０によって当接部材９１の当接部９８がトレイカバー８１に当接する向きへ移動する。トレイカバー８１は、当接部９８が当接することによって、シート挿入口７５を覆う第１状態からシート挿入口７５を開放する第２状態へ回動する。これにより、原稿カバー１７が回動する範囲とカバーが回動する範囲とが重複するレイアウトが採用されても、第２回動位置へ回動される原稿カバー１７とトレイカバー８１との接触が防止できる。原稿カバー１７が第２回動位置から第１回動位置へ変化すると、連動機構９０によって当接部材９１の当接部９８がトレイカバー８１から離れる向きへ移動する。これにより、シート挿入口７５を開放する第２状態のトレイカバー８１は、シート挿入口７５を覆う第１状態へ回動するので、状態変化する原稿カバー１７とシート挿入口７５のトレイカバー８１とを有する小型の複合機１０が実現される。
【００７８】
また、バイパストレイ７０が原稿カバー１７の後方に配置されており、原稿カバー１７の回動軸もバイパストレイ７０側、つまり原稿カバー１７の後方であるので、原稿カバー１７を第２回動位置にすると、原稿カバー１７の前方から筐体１６のプラテンガラス３０へアクセスすることができる。また、原稿カバー１７に連動して回動するトレイカバー８１が、前方から原稿カバー１７を操作するユーザ側へ回動することがない。また、バイパストレイ７０からシートが筐体１４の前方へ向かって搬送されるので、ユーザが、搬送後のシートに筐体１４の前方からアクセスすることができる。
【００７９】
また、使用頻度が比較的高いフラットベッドスキャナを備えた複合機１０において、原稿カバー１７の回動範囲にバイパストレイ７０のトレイカバー８１を配置することができる。
【００８０】
また、原稿カバー１７に設けられたＡＤＦ３６の原稿トレイ３７が突出する右方とは左右方向９において逆側の左方においてのみ連動機構９０の当接部材９１が設けられているので、当接部材９１がスライドする範囲と、原稿カバー１７の開閉に伴って原稿トレイ３７が移動する範囲とが重複しない。
【００８１】
また、バイパストレイ７０が、起立状態と倒伏状態とに回動する支持板７３を有するので、使用されないときのバイパストレイ７０を効率的に小型化することができる。
【００８２】
また、シート挿入口７５を覆う状態のトレイカバー８１の回動先端が、第１回動位置の原稿カバー１７の上面より下方に配置されているので、複合機１０の薄型化が実現される。
【００８３】
［変形例］
前述された実施形態は、連動機構９０は、当接部材９１、回動部材９２、二段ギヤ９３、ピニオンギヤ９４を有して構成されているが、連動機構は別の構成によって実現されてもよい。
【００８４】
詳細には、図１１，１２に示されるように、連動機構として、原稿カバー１７の回動軸と平行な回動軸周りに回動可能な回動部材１００が、バイパストレイ７０の固定部６８に設けられていてもよい。回動部材１００は、バイパストレイ７０の左右方向９に分かれて一対が設けられている。回動部材１００の回動先端側には、原稿カバー１７の後面２２が当接する被当接部１０１と、トレイカバー８１に当接する当接部１０２とが設けられている。
【００８５】
回動部材１００は、平板形状の部材であり、最大面積となる表裏面が左右方向９のそれぞれの向きへ向けて配置されている。被当接部１０１及び当接部１０２は、回動部材１００において左右方向９に沿って延びる厚み方向の周面の一部であり、被当接部１０１は原稿カバー１７の後面２２と対向する位置に設けられており、当接部１０２はトレイカバー８１の回動先端側の下面と対向する位置に設けられている。また、図には示されていないが、ネジリコイルバネによって、回動部材１００は、原稿カバー１７の後面２２側、すなわち前方へ向かって付勢されている。
【００８６】
図１１に示されるように、スキャナ部１２において原稿カバー１７が閉じられた状態から、すなわち第１回動位置にある状態では、回動部材１００は、ネジリコイルバネに付勢されて、被当接部１０１が原稿カバー１７の後面２２に当接又は近接している。また、回動部材１００の当接部１０２は、トレイカバー８１の回動先端側に位置しており、この位置に当接部１０２が当接した状態において、トレイカバー８１がシート挿入口７５を覆っている。
【００８７】
図１２に示されるように、筐体１６が筐体１４に対して回動されることによって原稿カバー１７が回動されると、すなわち第２回動位置へ回動されると、原稿カバー１７の後面２２が後ろ向きへ移動し、後面２２又は上面４０に押されるようにして、回動部材１００の被当接部１０１が後ろ向きへ移動する。これにより、ネジリコイルバネの付勢力に抗して、回動部材１００が後ろ向きへ回動する。回動部材１００の回動に伴って、当接部１０２が、回動部材１００の回動軸周りに移動して、トレイカバー８１の回動先端側から回動基端側へ摺動する。これにより、シート挿入口７５を覆った状態（第１状態）のトレイカバー８１が、シート挿入口７５を開放する状態（第２状態）へ向かって回動される。このように構成された回動部材１００によっても、前述された実施形態と同様の作用効果が奏される。なお、図１２においては、原稿カバー１７が筐体１６と共に筐体１４に対して回動された状態が示されているが、筐体１６が回動されず、原稿カバー１７のみが筐体１６に対して回動された場合にも、前述された実施形態と同様の作用効果が奏される。
【００８８】
なお、前述された実施形態及び変形例では、原稿カバー１７が筐体１６に対して回動し、また、筐体１６が筐体１４に対して回動する構成が示されているが、筐体１６は、筐体１４に対して回動される構成でなくてもよい。
【００８９】
また、前述された実施形態及び変形例では、スキャナ部１２を有する複合機１０が画像記録装置の一例として示されているが、スキャナ部１２を有しない構成として画像記録装置が実施されてもよい。そのような画像記録装置においては、第２筐体としての原稿カバー１７が存在しないが、例えば、前述された筐体１６のように筐体１４に対して回動可能なカバーが第２筐体として設けられており、プリンタ部１１のメンテナンスやインクカートリッジの交換のために、当該カバーが第１筐体としての筐体１４に対して回動される構成においても、前述された実施形態と同様の作用効果が奏される。
【符号の説明】
【００９０】
１０  複合機（画像記録装置）
１４，１６  筐体（第１筐体）
１７  原稿カバー（第２筐体）
２４  記録部
３６  ＡＤＦ（自動原稿搬送機構）
３７  原稿トレイ
５４  第１搬送ローラ対（搬送部）
５５  第２搬送ローラ対（搬送部）
７０  バイパストレイ（シート支持部）
７３  支持板
７５  シート挿入口
８１  トレイカバー（カバー）
９０  連動機構
９１  当接部材
９２，１００  回動部材
９４  ピニオンギヤ（ラックピニオン機構）
９８，１０２  当接部
９９  ラックギヤ（ラックピニオン機構）
【図１】
2018167993.tif 000003
【図２】
2018167993.tif 000004
【図３】
2018167993.tif 000005
【図４】
2018167993.tif 000006
【図５】
2018167993.tif 000007
【図６】
2018167993.tif 000008
【図７】
2018167993.tif 000009
【図８】
2018167993.tif 000010
【図９】
2018167993.tif 000011
【図１０】
2018167993.tif 000012
【図１１】
2018167993.tif 000013
【図１２】
2018167993.tif 000014
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
画像記録装置であって、
第１筐体と、
上記第１筐体に設けられており、搬送経路に沿ってシートを搬送する搬送部と、
上記搬送経路を搬送されるシートに画像を記録する記録部と、
上記第１筐体の上方に位置しており、第１位置及び当該第１位置より回動先端側が上方に位置する第２位置に回動可能な第２筐体と、
当該画像記録装置における上記第２筐体の回動基端側において、上方へ開口しており、上記搬送経路へ連通するシート挿入口と、
上記シート挿入口を塞ぐ第３位置、及び当該第３位置より回動先端側が上記シート挿入口から遠い第４位置に回動可能な挿入口カバーと、
上記第３位置の上記挿入口カバーと対向する第５位置から当該第５位置よりも上方に位置する第６位置に移動することにより、上記挿入口カバーを上記第３位置から上記第４位置側へ回動させる当接部を有しており、上記第２筐体が上記第１位置から上記第２位置側に回動する動きに連動させて、当該当接部を上記第５位置から上記第６位置側へ移動させる連動機構と、を具備する画像記録装置。
【請求項２】
上記シート挿入口は、上下方向と直交する前後方向において当該画像記録装置の後方に設けられており、
上記搬送部は、シートを上記前後方向の前方へ向かって搬送するものである請求項１に記載の画像記録装置。
【請求項３】
上記当接部は、上記挿入口カバーの回動軸線と平行な方向において、上記シート挿入口に対して外側の一方側にのみ設けられている請求項１または２に記載の画像記録装置。
【請求項４】
上記連動機構は、上記第２筐体の上記第１位置から上記第２位置側への回動に連動して回動する回動部材を有するものであり、
上記当接部は、上記回動部材に設けられている請求項１または２に記載の画像記録装置。
【請求項５】
上記回動部材は、上記第１位置から上記第２位置側へ回動する上記第２筐体に当接する被当接部を有する請求項４に記載の画像記録装置。
【請求項６】
上記連動機構は、上記当接部が上記第６位置から上記第５位置側に移動する向きへ上記回動部材を付勢するバネを備える請求項４または５に記載の画像記録装置。
【請求項７】
上記シート挿入口は、斜め下方に延びるバイパス経路を介して上記搬送経路と連通している請求項１乃至６のいずれかに記載の画像記録装置。
【請求項８】
上記シート挿入口から挿入されたシートを上記搬送経路へ給送する給送ローラを更に備える請求項１乃至７のいずれかに記載の画像記録装置。
【請求項９】
原稿載置面を有し、当該原稿載置面に載置された原稿の画像を読み取る画像読取部を備え、
上記第２筐体は、上記原稿載置面を被覆可能である請求項１乃至８のいずれかに記載の画像記録装置。